(57)【要約】      （修正有）【課題】神社や仏閣において神職、僧侶、巫女などが着用する白衣その他の着物に関するもので、美しく着こなすことができて着崩れせず、更に封筒や携帯電話等の小物を入れることができる、神社仏閣用の着物を提供する。【解決手段】内側の左袖付け下Ａに先端部に所定間隔で複数のボタン穴を加工した平紐の基端が縫着され、右前身頃表衿とアゲの交差位置Ｂにボタン穴に係止されるボタン８が取付けられている。平紐は、厚さの薄い柔軟な細幅の織紐が好ましく、ボタン穴は、穴がかりをしたものを数ｃｍ間隔に複数個設ける。ボタンとボタン穴に代えて、面ファスナー対を用いてもよい。ボタン８と共に、平紐と結束することが可能な長さの第２の平紐を縫着することもできる。【選択図】図１
0003106568.tif 000002
【実用新案登録請求の範囲】
【請求項１】
内側の左袖付け下(A)に先端部に所定間隔で複数のボタン穴(9)を加工した平紐(6)の基端が縫着され、右前身頃表衿とアゲの交差位置(B)に前記ボタン穴に係止されるボタン(8)が取付けられていることを特徴とする、神社仏閣用の着物。
【請求項２】
右前身頃表衿とアゲの交差位置(B)に前記ボタン(8)と共に、前記平紐(6)と結束することが可能な長さの第２の平紐(7)の基端が縫着されている、請求項１記載の神社仏閣用の着物。
【請求項３】
内側の左袖付け下(A)に先端部に所定長さで面ファスナー(10)を取付けた平紐(6)の基端が縫着され、右前身頃表衿とアゲの交差位置(B)に前記面ファスナーに係止される面ファスナー片(11)が取付けられていることを特徴とする、神社仏閣用の着物。
【請求項４】
左前身頃(1)の内側(C)に封筒等を収納可能な布袋（内ポケット）(12)が、着物の表に縫い目を見せることなく取付けられていることを特徴とする、請求項１、２又は３記載の神社仏閣用の着物。
【請求項５】
左前身頃(1)の内側(C)に封筒等を収納可能な布袋（内ポケット）(12)と、これより幅狭の携帯電話収納用の第２の布袋(13)とが、着物の表に縫い目を見せることなく取付けられていることを特徴とする、請求項１、２又は３記載の神社仏閣用の着物。
【考案の詳細な説明】
【技術分野】
【０００１】
この考案は、神社や仏閣において神職、僧侶、巫女などが着用する白衣その他の着物に関するものである。
【背景技術】
【０００２】
神社や仏閣で働く者は、伝統的に和装であり、神職や僧侶は勿論、繁忙期に手伝いとして働く者も和服を着用して作業している。しかし現代では、日常的に和服を着る者はほとんどなく、着物を着ることに慣れていないため、形良く着用することができない者が殆どである。また茶席や宴会席などで静かにしているのであればともかく、着物を着て作業するとなると、体を動かすにつれて着崩れが進行しやすい。
【０００３】
なお、特許文献１には、一人での着用を容易にし、かつ着崩れを防ぐ係止具を設けた女性用袴式和服が提案されている。
【特許文献１】特開２００１−３５５１０６号公報
【考案の開示】
【考案が解決しようとする課題】
【０００４】
上記のように、従来の神社仏閣用の着物は、着用時に右前身頃の位置が一定にならず、また着用中に体を動かす毎に位置がズレ、着崩れしやすいという不満があった。着付けの慣れない者は、どうしてもだらしない着付けになり、衿元のはだけ、裾線の不揃いなど、見苦しい姿になり、また着崩れしやすい問題があった。神社や仏閣で繁忙期に手伝いとして働く者は、参拝者などの面前で作業することになるので、着崩れすると非常に見苦しく、着用者のみでなく、神社仏閣自体の品位も疑われかねない問題があった。
【０００５】
また、従来の神社仏閣用の着物には、封筒等の小物を入れるところが無く、また携帯電話も出し入れしやすい状態で収納するところがないという不満があった。
【０００６】
そこで本考案は、第１に、美しく着こなすことができて着崩れも防止することができ、更に第２に、封筒や携帯電話等の小物を入れることができる、神社仏閣用の着物を提供することを課題とする。
【課題を解決するための手段】
【０００７】
上記第１の課題を解決した本願の請求項１の考案に係る神社仏閣用の着物は、内側の左袖付け下Ａに先端部に所定間隔で複数のボタン穴９を加工した平紐６の基端が縫着され、右前身頃表衿とアゲの交差位置Ｂに前記ボタン穴に係止されるボタン８が取付けられていることを特徴とするものである。平紐６は、厚さの薄い柔軟な細幅の織紐が好ましく、ボタン穴９は、穴がかりをしたものを数ｃｍ間隔に複数個設ける。
【０００８】
本願の請求項２の考案に係る神社仏閣用の着物は、上記請求項１記載の着物において、右前身頃表衿とアゲの交差位置Ｂに前記ボタン８と共に、前記平紐６と結束することが可能な長さの第２の平紐７の基端が縫着されていることを特徴とするものである。
【０００９】
上記第１の課題を解決した本願の請求項３の考案に係る神社仏閣用の着物は、内側の左袖付け下Ａに先端部に所定長さで面ファスナー１０を取付けた平紐６の基端が縫着され、右前身頃表衿とアゲの交差位置Ｂに前記面ファスナーに係止される面ファスナー片１１が取付けられていることを特徴とするものである。
【００１０】
上記第１と第２の課題を共に解決した本願の請求項４の考案に係る神社仏閣用の着物は、左前身頃１の内側Ｃに封筒等を収納可能な布袋（内ポケット）１２が、着物の表に縫い目を見せることなく取付けられていることを特徴とする、請求項１、２又は３記載の神社仏閣用の着物である。
【００１１】
また同様に上記第１の課題と第２の課題とを共に解決した本願の請求項５の考案に係る神社仏閣用の着物は、左前身頃１の内側Ｃに封筒等を収納可能な布袋（内ポケット）１２と、これより幅狭でかつ細長い携帯電話収納用の第２の布袋１３とが、着物の表に縫い目を見せることなく取付けられていることを特徴とする、請求項１、２又は３記載の神社仏閣用の着物である。
【考案の効果】
【００１２】
上記請求項１の着物は、左右の袖に腕を通した後、右前身頃２を胸元に着けた状態で平紐６を右前身頃表衿とアゲの交差位置Ｂに引出して重ね、裾線が水平になるように平紐の複数のボタン穴９のうちの一つにボタン８を係止する。この状態で右前身頃２の位置が平紐６に吊られた状態で固定される。次に裾線が平行に重なるように左前身頃１を右前身頃２に打合せ、帯を締める。このようにして着用したこの考案の着物は、体を動かしても右前身頃２がずれて襟元が乱れることがなく、右前身頃２がずれないことから、裾線の乱れも生じない。
【００１３】
請求項２の考案によれば、上記と同様にして着用することができると共に、着用者の好みにより、平紐６と第２の平紐７とを結束して右前身頃２の位置を固定することもでき、着用者は自分の好みの方法で着用でき、いずれの場合も形良く着用できると共に着崩れを防止できる。紐で結束する場合は、ボタン位置が合わないということがなくなる。第２の平紐７が不要であれば、着用者が切除すればよい。
【００１４】
請求項３の考案ではボタン穴９とボタン８とを係止する代わりに、面ファスナー１０と面ファスナー片１１とを係着することにより、同様な作用効果が得られる。請求項３のものでは、面ファスナー１０と面ファスナー片１１との係着位置が連続位置から選択できるので、位置調整がより細かくできる。
【００１５】
請求項４の考案によれば、上記作用効果が得られると共に、布袋１２に封筒等の小物を収納することができて便利であり、更に請求項５の考案によれば、封筒等と共に携帯電話も収納でき、これらの収納や取出しも便利である。
【００１６】
従って、本考案の神社仏閣用の着物は、着用時に右前身頃２の位置が一定になり、着物を容易に着ることができ、又右前身頃２の着崩れしにくい（防止）という特徴がある。そして、内ポケットとなる布袋を付ける事により、封筒等を容易に収納することができて紛失しにくいという利点が得られ、着姿もスッキリとしている。
【考案を実施するための最良の形態】
【００１７】
以下、図を用いて本考案の実施の形態について説明する。なお、図は本考案の実施例を示したものであり、本考案はこの実施例に限定されるものではない。
【００１８】
図に示した神社仏閣用の着物は、あぜくら織うす地白衣で、図１及び図４に示すように、内側左袖付け下に平紐６の基端を縫着して設けている。
【００１９】
第１実施例の平紐６は、図２に示すように、長さは２５ｃｍに設定し、その先端部に２ｃｍ間隔で長さ１６ｍｍの穴かがりしたボタン穴９を若干千鳥にして５個設けている。
【００２０】
そして、右前身頃表衿とアゲの交差位置Ｂに、直径１５ｍｍのボタン８を縫い付けている。
【００２１】
図３に示したものでは、ボタン８を縫い付けた位置の近傍に、第２の平紐７の基端を縫着している。第２の平紐７は、平紐６と同じ幅３ｃｍの平織りの織紐で、長さは２０ｃｍにしている。
【００２２】
図４及び５は、この考案の第２実施例を示した図で、図１の実施例におけるボタン穴とボタンの代わりに面ファスナー１０と面ファスナー片１１とを用いたものである。すなわち図４に示すように、内側左袖付け下に平紐６の基端を縫着し、この平紐６の先端部裏面に、図５に示すような細長い面ファスナー１０を縫着して設けている。平紐６の長さや幅は図１のものと同じである。面ファスナー１０は、先端から１０ｃｍの長さに渡って設けている。
【００２３】
そして、右前身頃表衿とアゲの交差位置Ｂに、辺長さが３ｃｍの正方形の面ファスナー片１１を縫い付けている。
【００２４】
図１ないし５に示した着物には、図６及び７に示すような布袋１２が、表に縫い目を見せないように、オクミ縫代と脇代に挟み込み縫いにして設けられている。布袋１２は、さらに携帯電話用の内布袋１３が縫い付けてある。
【図面の簡単な説明】
【００２５】
【図１】第１実施例の左身頃を開いて示す正面図
【図２】図１の着物に装着されている平紐の平面図
【図３】図１の着物にボタンと第２の平紐とを取付けた例を示す右前身頃の正面図
【図４】第２実施例を示す図１と同様な図
【図５】図４の着物に装着されている平紐の平面図
【図６】布袋の装着位置を示す正面図
【図７】第２の布袋を備えた布袋を示す図
【符号の説明】
【００２６】
１  左前身頃
６  平紐
７  平紐
８  ボタン
９  ボタン穴
10  面ファスナー
11  面ファスナー片
12  布袋
13  内布袋
Ａ  左袖付け下
Ｂ  交差位置
Ｃ  内側
【図１】
0003106568.tif 000003
【図２】
0003106568.tif 000004
【図３】
0003106568.tif 000005
【図４】
0003106568.tif 000006
【図５】
0003106568.tif 000007
【図６】
0003106568.tif 000008
【図７】
0003106568.tif 000009